(57)【特許請求の範囲】
【請求項１】
複数のカード側端子を備え情報を記憶するメモリカードと、該メモリカードを収容するハウジング内に複数の前記カード側端子に接触する複数のコンタクトを備えたカードコネクタとからなるメモリカード装置であって、
前記メモリカードには、複数の前記カード側端子のうち少なくとも差動信号を伝送するためのカード側端子を覆って磁性体材料からなるカード側磁性体シートを設け、
前記カードコネクタのハウジングには、前記カード側磁性体シートとの間に前記カード側端子と前記コンタクトとの接触部位を前記メモリカードの厚さ方向で挟む位置に、磁性体材料からなるコネクタ側磁性体シートを設ける構成としてなるメモリカード装置。
【請求項２】
前記カード側磁性体シートは、複数の前記カード側端子のうち差動信号を伝送するためのカード側端子を覆い、他の信号を伝送するカード側端子は覆わない構成としてなる請求項１に記載のメモリカード装置。
【請求項３】
前記カード側磁性体シートは、複数の前記カード側端子を全て覆う構成としてなる請求項１に記載のメモリカード装置。
【請求項４】
前記コネクタ側磁性体シートは、前記カード側端子が露出した前記メモリカードの一側主面と対面した平面状に形成してなる請求項１ないし３のいずれかに記載のメモリカード装置。
【請求項５】
前記コネクタ側磁性体シートは、前記カード側端子が露出した前記メモリカードの一側主面と対面した主面部と、前記メモリカードの側面と対面した側面部とによって断面コ字状に形成してなる請求項１ないし３のいずれかに記載のメモリカード装置。
【請求項６】
メモリカードが装着されるカードコネクタであって、
前記メモリカードを収容するハウジングと、該ハウジング内に前記メモリカードの複数のカード側端子に接触する複数のコンタクトとを備え、
前記ハウジングには、複数の前記カード側端子のうち少なくとも差動信号を伝送するためのカード側端子と前記コンタクトとの接触部位を前記メモリカードの厚さ方向で挟む位置に、磁性体材料からなるコネクタ側磁性体シートを設ける構成としてなるカードコネクタ。
【発明の詳細な説明】
【技術分野】
【０００１】
本発明は、メモリカードを備えたメモリカード装置およびメモリカードが装着されるカードコネクタに関する。
【背景技術】
【０００２】
各種の電子機器において、情報を記憶するためのメモリデバイスとして、例えばＳＤカード等のメモリカードが用いられる。このメモリカードはカードコネクタに装着されることによって、情報の書き込みまたは読み出しが行われる。また、従来技術によるカードコネクタとして、メモリカードを収容するハウジングを金属製のシールド部材で覆ったものが知られている（例えば、特許文献１参照）。
【先行技術文献】
【特許文献】
【０００３】
【特許文献１】特開２００６−３２４１８５号公報
【発明の概要】
【発明が解決しようとする課題】
【０００４】
特許文献１に記載されたカードコネクタでは、金属製のシールド部材によってシールド性を高めて、メモリカードからの不要な電磁波の放射や外部の電磁波の影響を軽減する。しかし、シールド部材だけではノイズ抑制効果に限界がある。このため、シングルエンド伝送の場合にはフェライトビーズやＬＣフィルタ等のノイズフィルタが必要になり、差動伝送の場合にはコモンモードやフェライトコア等のノイズフィルタが必要になる。
【０００５】
近年、メモリカードの容量が大きくなる傾向があり、高速なデータ伝送が求められている。差動伝送は、シングルエンド伝送に比べて、ノイズの影響を受け難く、このような高速なデータ伝送に適している。
【０００６】
ところで、差動伝送の場合、２線のバランスが崩れることでコモンモードのノイズが発生する。メモリカードとカードコネクタの場合、メモリカードのカード側端子とカードコネクタのコンタクトとの接触部分において、特性インピーダンスや電気長の不整合が生じ、２線のバランスが崩れてノイズ発生源になると考えられる。
【０００７】
このとき、ノイズフィルタは、信号の向きに対してノイズ信号源の後段側に挿入するのが効果的である。このため、信号が双方向に伝送される場合には、カード側端子とコンタクトとの接触部分を挟んで前段側と後段側の２箇所にノイズフィルタを挿入する必要があるという問題がある。
【０００８】
本発明は前述の問題に鑑みなされたものであり、本発明の目的は、コモンモードノイズを抑制することができるメモリカード装置およびカードコネクタを提供することにある。
【課題を解決するための手段】
【０００９】
上記課題を解決するために、請求項１の発明は、複数のカード側端子を備え情報を記憶するメモリカードと、該メモリカードを収容するハウジング内に複数の前記カード側端子に接触する複数のコンタクトを備えたカードコネクタとからなるメモリカード装置であって、前記メモリカードには、複数の前記カード側端子のうち少なくとも差動信号を伝送するためのカード側端子を覆って磁性体材料からなるカード側磁性体シートを設け、前記カードコネクタのハウジングには、前記カード側磁性体シートとの間に前記カード側端子と前記コンタクトとの接触部位を前記メモリカードの厚さ方向で挟む位置に、磁性体材料からなるコネクタ側磁性体シートを設ける構成としている。
【００１０】
請求項２の発明では、前記カード側磁性体シートは、複数の前記カード側端子のうち差動信号を伝送するためのカード側端子を覆い、他の信号を伝送するカード側端子は覆わない構成としている。
【００１１】
請求項３の発明では、前記カード側磁性体シートは、複数の前記カード側端子を全て覆う構成としている。
【００１２】
請求項４の発明では、前記コネクタ側磁性体シートは、前記カード側端子が露出した前記メモリカードの一側主面と対面した平面状に形成している。
【００１３】
請求項５の発明では、前記コネクタ側磁性体シートは、前記カード側端子が露出した前記メモリカードの一側主面と対面した主面部と、前記メモリカードの側面と対面した側面部とによって断面コ字状に形成している。
【００１４】
請求項６の発明は、メモリカードが装着されるカードコネクタであって、前記メモリカードを収容するハウジングと、該ハウジング内に前記メモリカードの複数のカード側端子に接触する複数のコンタクトとを備え、前記ハウジングには、複数の前記カード側端子のうち少なくとも差動信号を伝送するためのカード側端子と前記コンタクトとの接触部位を前記メモリカードの厚さ方向で挟む位置に、磁性体材料からなるコネクタ側磁性体シートを設ける構成としている。
【発明の効果】
【００１５】
請求項１の発明によれば、メモリカードには、少なくとも差動信号を伝送するためのカード側端子を覆ってカード側磁性体シートを設けると共に、カードコネクタのハウジングには、カード側磁性体シートとの間にカード側端子とコンタクトとの接触部位をメモリカードの厚さ方向で挟む位置にコネクタ側磁性体シートを設けた。これにより、カード側磁性体シートとコネクタ側磁性体シートによって、差動信号を伝送するためのカード側端子を挟むから、カード側磁性体シートとコネクタ側磁性体シートはコモンモードチョークコイルとして機能する。
【００１６】
また、カード側磁性体シートとコネクタ側磁性体シートは、差動信号を伝送するためのカード側端子とコンタクトとの接触部位を挟むから、ノイズ発生源となる接触部位をカード側磁性体シートとコネクタ側磁性体シートによって覆うことができる。このため、差動信号がメモリカード側とカードコネクタ側との双方向に伝送されるときに、いずれの方向に伝送される差動信号のコモンモードノイズであっても、カード側磁性体シートとコネクタ側磁性体シートとからなるコモンモードチョークコイルによって抑制することができる。この結果、ノイズフィルタを２箇所に設ける必要がなくなる。
【００１７】
さらに、メモリカードにカード側磁性体シートを設けたから、ノイズ発生源となるカード側端子とコンタクトとの接触部位に近い位置にカード側磁性体シートを配置することができる。このため、カード側端子付近でのコモンモードインピーダンスを高めることができ、コモンモードノイズの抑制効果を高めることができる。
【００１８】
請求項２の発明によれば、カード側磁性体シートは、差動信号を伝送するためのカード側端子を覆い、他の信号を伝送するカード側端子は覆わないから、必要最小限な位置にカード側磁性体シートを設けることができ、メモリカードの製造コストを低減することができる。
【００１９】
請求項３の発明によれば、カード側磁性体シートは、複数のカード側端子を全て覆うから、いずれのカード側端子に生じるコモンモードノイズでも抑制することができる。
【００２０】
請求項４の発明によれば、コネクタ側磁性体シートは、カード側端子が露出したメモリカードの一側主面と対面した平面状に形成したから、コネクタ側磁性体シートとカード側磁性体シートとの間にカード側端子を挟み、これらの磁性体シートの間に磁界を閉じ込めてコモンモードチョークコイルを形成することができる。
【００２１】
請求項５の発明によれば、コネクタ側磁性体シートは断面コ字状に形成したから、コネクタ側磁性体シートとカード側磁性体シートとによってカード側端子を取囲むことができる。このため、これらの磁性体シートによる磁界の閉じ込め効果を高めて、コモンモードインピーダンスを大きくすることができる。
【００２２】
請求項６の発明によれば、カードコネクタのハウジングには、少なくとも差動信号を伝送するためのカード側端子とコンタクトとの接触部位をメモリカードの厚さ方向で挟む位置に、コネクタ側磁性体シートを設けた。これにより、コネクタ側磁性体シートはコモンモードチョークコイルとして機能する。また、コネクタ側磁性体シートは、差動信号を伝送するためのカード側端子とコンタクトとの接触部位を挟むから、ノイズ発生源となる接触部位をコネクタ側磁性体シートによって覆うことができる。このため、差動信号がメモリカード側とカードコネクタ側との双方向に伝送されるときに、いずれの方向に伝送される差動信号のコモンモードノイズであっても、コネクタ側磁性体シートからなるコモンモードチョークコイルによって抑制することができる。また、カードコネクタに設けたコネクタ側磁性体シートだけでコモンモードチョークコイルを形成するから、メモリカードを加工する必要がなく、容易に適用することができる。
【図面の簡単な説明】
【００２３】
【図１】第１の実施の形態によるメモリカード装置を示す斜視図である。
【図２】メモリカードを分解して示す斜視図である。
【図３】カードコネクタにメモリカードを装着した状態で図１中の矢示III−III方向からみた断面図である。
【図４】メモリカード装置を図３中の矢示IV−IV方向からみた断面図である。
【図５】メモリカード装置を図３中の矢示Ｖ−Ｖ方向からみた断面図である。
【図６】メモリカードを示す平面図である。
【図７】カードコネクタを示す平面図である。
【図８】比較例によるメモリカード装置を図４と同様位置からみた断面図である。
【図９】第２の実施の形態によるメモリカード装置を図３と同様位置からみた断面図である。
【図１０】第２の実施の形態によるメモリカードを示す平面図である。
【図１１】第２の実施の形態によるカードコネクタを示す平面図である。
【図１２】第３の実施の形態によるメモリカード装置を図３と同様位置からみた断面図である。
【図１３】第４の実施の形態によるメモリカード装置を図３と同様位置からみた断面図である。
【図１４】メモリカード装置を図１３中の矢示XIV−XIV方向からみた断面図である。
【図１５】メモリカード装置を図１３中の矢示XV−XV方向からみた断面図である。
【発明を実施するための形態】
【００２４】
以下、本発明の実施の形態によるメモリカード装置について、図面を参照しつつ詳細に説明する。
【００２５】
図１ないし図７に、第１の実施の形態によるメモリカード装置１を示す。メモリカード装置１は、メモリカード２およびカードコネクタ１１を備える。
【００２６】
なお、説明の便宜上、図１中の矢示Ｚ1，Ｚ2方向をそれぞれ上方向、下方向とし、矢示Ｘ1，Ｘ2方向をそれぞれ左方向、右方向とし、矢示Ｙ1，Ｙ2方向をそれぞれ後方向、前方向とする。
【００２７】
図１、図２、図５、図６に示すように、メモリカード２は、上ケース３、下ケース４、回路基板５、記憶素子６、カード側端子８Ａ〜８Ｉ等を備える。メモリカード２は、回路基板５等を内部に収容した状態で上ケース３と下ケース４とを重ね合わせることによって略平板状に形成される。また、メモリカード２は、その一側主面となる上面２Ａに後述のカード側端子８Ａ〜８Ｉが露出して設けられる。
【００２８】
上ケース３および下ケース４は、絶縁性の樹脂材料を用いて略平板状に形成される。また、上ケース３の前側には、左，右方向に並んで複数の貫通孔３Ａが設けられる。
【００２９】
回路基板５は、上ケース３や下ケース４よりも小さい外形寸法を有し、例えば絶縁性の樹脂材料を用いて略平板状に形成される。この回路基板５は、上ケース３と下ケース４とによって上，下方向（厚さ方向）から挟まれた状態で、上ケース３と下ケース４との間に収容される。
【００３０】
回路基板５の下面には、後側に位置して記憶素子６と制御回路素子７とが取付けられる。記憶素子６は、情報の読み出しと書き換えが可能な不揮発性の半導体メモリである。この記憶素子６は、制御回路素子７に実装された制御回路（マイクロコントローラ）によって、各種の動作が制御される。
【００３１】
回路基板５の上面には、前側に位置して左，右方向に並んで複数（例えば９個）のカード側端子８Ａ〜８Ｉが設けられる。これらのカード側端子８Ａ〜８Ｉは、上ケース３の貫通孔３Ａと対応した位置に配置され、貫通孔３Ａを通じてメモリカード２の上面２Ａに露出する。カード側端子８Ａ〜８Ｉは、導電性の金属材料からなる薄膜によって形成され、回路基板５に設けられたカード側配線９を通じて制御回路素子７や記憶素子６に電気的に接続される。
【００３２】
ここで、例えばカード側端子８Ｂ，８Ｃには差動信号が供給されると共に、カード側端子８Ｆ，８Ｇにも差動信号が供給される。また、カード側端子８Ａ，８Ｅには電源電圧Ｖccが供給され、カード側端子８Ｄ，８Ｈ，８ＩはグランドＧＮＤに接続される。
【００３３】
なお、カード側端子８Ａ〜８Ｉの個数、供給される信号、配置等は、一例を示したものであり、仕様に応じて適宜変更してもよい。また、制御回路素子７は必須な構成ではなく、メモリカード２の仕様に応じて制御回路素子７を省く構成としてもよい。
【００３４】
カード側磁性体シート１０は、メモリカード２の前側に位置して下ケース４の上面の２箇所に設けられる。これらのカード側磁性体シート１０は、フェライト等の磁性体材料を用いてシート状に形成される。
【００３５】
一方のカード側磁性体シート１０は、カード側端子８Ｂ，８Ｃと対向した位置に配置され、カード側端子８Ｂ，８Ｃを下側から覆う。他方のカード側磁性体シート１０は、カード側端子８Ｆ，８Ｇと対向した位置に配置され、カード側端子８Ｆ，８Ｇを下側から覆う。即ち、これらのカード側磁性体シート１０は、差動信号を伝送するためのカード側端子８Ｂ，８Ｃ，８Ｆ，８Ｇを覆い、他の信号を伝送するカード側端子８Ａ，８Ｄ，８Ｅ，８Ｈ，８Ｉは覆わない。
【００３６】
なお、カード側磁性体シート１０は、下ケース４に限らず、回路基板５の下面に設けてもよく、回路基板５の内部に埋め込んでもよい。また、カード側磁性体シート１０の絶縁性が確保できる場合には、カード側端子８Ｂ，８Ｃ，８Ｆ，８Ｇに接触した状態でカード側端子８Ｂ，８Ｃ，８Ｆ，８Ｇと回路基板５の上面との間に設けてもよい。
【００３７】
図１、図３、図４、図５、図７に示すように、カードコネクタ１１は、ハウジング１２、コンタクト１６等を備える。ハウジング１２は、絶縁性の樹脂材料からなるコネクタ基板１３およびカバー部材１４によって構成される。コネクタ基板１３は略平板状に形成される。一方、カバー部材１４は、下面と後面が開口した四角形の箱状に形成され、コネクタ基板１３によって下面が塞がれる。
【００３８】
具体的には、カバー部材１４は、コネクタ基板１３と間隔をもって対向した天板部１４Ａと、該天板部１４Ａの左，右方向の端部に設けられコネクタ基板１３に向けて延びる側面部１４Ｂ，１４Ｃと、天板部１４Ａの前側の端部に設けられコネクタ基板１３に向けて延びる端面部１４Ｄとを備える。
【００３９】
そして、ハウジング１２は、内部にカード収容空間１５が形成されると共に、前側が端面部１４Ｄによって閉塞され、後側が開放される。そして、ハウジング１２の後側には、メモリカード２を挿入するためのカード挿入口１２Ａが形成される。
【００４０】
なお、カード収容空間１５は、メモリカード２の全体を収容する構成としてもよく、メモリカード２のうちカード側端子８Ａ〜８Ｉの周囲だけを収容する構成としてもよい。また、ハウジング１２は、絶縁材料に限らず、コンタクト１６との絶縁が確保できれば、導電性金属材料からなる箱体によって形成してもよい。
【００４１】
コンタクト１６は、ハウジング１２の前側から後側に向けて延びる腕部１６Ａと、該腕部１６Ａの先端側に形成された端子接触部１６Ｂとを備える。このコンタクト１６は、例えば導電性金属材料の薄板を曲げ加工して一体成型される。コンタクト１６は、カード収容空間１５内に位置して、例えばカード側端子８Ａ〜８Ｉと対応した個数（例えば９個）がハウジング１２に設けられる。これらのコンタクト１６は、カバー部材１４の外側に設けられたコネクタ側配線１７を通じて外部の電子機器等（図示せず）に接続される。
【００４２】
また、腕部１６Ａは、ばね性を有し、基端部分がカバー部材１４の端面部１４Ｄに固定されると共に、先端部分が上，下方向に変位可能となる。このため、端子接触部１６Ｂは、上，下方向に変位可能な状態で腕部１６Ａによって弾性的に支持される。
【００４３】
そして、カードコネクタ１１のカード挿入口１２Ａからメモリカード２が挿入されると、メモリカード２の上面２Ａがコンタクト１６の端子接触部１６Ｂと当接して、端子接触部１６Ｂを上方に押し上げる。このとき、コンタクト１６は、その弾性力で端子接触部１６Ｂをメモリカード２のカード側端子８Ａ〜８Ｉに向けて付勢する。これにより、カード側端子８Ａ〜８Ｉと端子接触部１６Ｂが押圧接触して電気的に接続される。
【００４４】
コネクタ側磁性体シート１８は、コンタクト１６の端子接触部１６Ｂと対面した位置でハウジング１２のカード収容空間１５内の２箇所に設けられる。これらのコネクタ側磁性体シート１８は、フェライト等の磁性体材料を用いてシート状に形成され、カバー部材１４の天板部１４Ａの下面に設けられる。これらのコネクタ側磁性体シート１８は、カード側端子８Ａ〜８Ｉが露出したメモリカード２の上面２Ａと対面した平面状に形成される。
【００４５】
一方のコネクタ側磁性体シート１８は、カード側端子８Ｂ，８Ｃ用の端子接触部１６Ｂと対向した位置に配置される。他方のコネクタ側磁性体シート１８は、カード側端子８Ｆ，８Ｇ用の端子接触部１６Ｂと対向した位置に配置される。そして、メモリカード２がカードコネクタ１１に装着されると、一方のコネクタ側磁性体シート１８とカード側磁性体シート１０とによって、カード側端子８Ｂ，８Ｃが挟まれると共に、他方のコネクタ側磁性体シート１８とカード側磁性体シート１０とによって、カード側端子８Ｆ，８Ｇが挟まれる。即ち、カード側端子８Ｂ，８Ｃ，８Ｆ，８Ｇとコンタクト１６との接触部位は、カード側磁性体シート１０とコネクタ側磁性体シート１８とによってメモリカード２の厚さ方向で挟まれると共に、これらの磁性体シート１０，１８によって覆われる。
【００４６】
なお、コネクタ側磁性体シート１８は、天板部１４Ａの下面に限らず、天板部１４Ａの上面に設けてもよく、天板部１４Ａの内部に埋め込んでもよい。
【００４７】
本実施の形態によるメモリカード装置１は上述のような構成を有するもので、次に、メモリカード装置１の動作について説明する。
【００４８】
カードコネクタ１１のカード挿入口１２Ａからメモリカード２を挿入すると、カード側端子８Ａ〜８Ｉがコンタクト１６の端子接触部１６Ｂに接触して、カード側端子８Ａ〜８Ｉとコンタクト１６が電気的に接続される。この状態で外部の電子機器等はメモリカード２に記憶された情報を読み出し、またはメモリカード２に情報を書き込むことができる。
【００４９】
ところで、カード側端子８Ａ〜８Ｉと端子接触部１６Ｂとの接触状態は必ずしも一定ではなく、例えばメモリカード２をカードコネクタ１１に装着する毎に変化する。このため、例えば差動信号を伝送するカード側端子８Ｂ，８Ｃの間で、特性インピーダンスや電気長の不整合が生じ、これら２線のバランスが崩れてノイズ発生源になることがある。同様に、カード側端子８Ｆ，８Ｇの間でも、コンタクト１６との接触部位で２線のバランスが崩れてノイズ発生源になることがある。
【００５０】
例えば図８に示す比較例のように、従来技術によるメモリカード装置２１では、メモリカード２からカード側磁性体シート１０を省いたメモリカード２２と、カードコネクタ１１からコネクタ側磁性体シート１８を省いたカードコネクタ２３とによって構成される。
【００５１】
この場合、メモリカード２２に情報を書き込むときには、図８中の矢示Ａ方向に信号が伝送されるから、ノイズ発生源よりも後段側になる位置として、例えばカード側配線９にノイズフィルタ２４を設けるのが有効である。一方、メモリカード２２から情報を読み出すときには、図８中の矢示Ｂ方向に信号が伝送されるから、ノイズ発生源よりも後段側になる位置として、例えばコネクタ側配線１７にノイズフィルタ２５を設けるのが有効である。このように、双方向に伝送される差動信号に対してコモンモードノイズを除去するためには、２箇所にノイズフィルタ２４，２５を設ける必要があり、製造コストが上昇し易いという問題がある。
【００５２】
これに対し、本実施の形態では、メモリカード２には、カード側端子８Ｂ，８Ｃ，８Ｆ，８Ｇを覆ってカード側磁性体シート１０を設けると共に、カードコネクタ１１のハウジング１２には、カード側磁性体シート１０との間にカード側端子８Ｂ，８Ｃ，８Ｆ，８Ｇとコンタクト１６との接触部位をメモリカード２の厚さ方向で挟む位置にコネクタ側磁性体シート１８を設けた。これにより、カード側磁性体シート１０とコネクタ側磁性体シート１８によって、差動信号を伝送するためのカード側端子８Ｂ，８Ｃ，８Ｆ，８Ｇとコンタクト１６との接触部位を挟むから、カード側磁性体シート１０とコネクタ側磁性体シート１８はコモンモードチョークコイルとして機能する。
【００５３】
このとき、コネクタ側磁性体シート１８は、カード側端子８Ａ〜８Ｉが露出したメモリカード２の上面２Ａと対面した平面状に形成したから、コネクタ側磁性体シート１８とカード側磁性体シート１０との間にカード側端子８Ｂ，８Ｃ，８Ｆ，８Ｇを挟み、これらの磁性体シート１０，１８の間に磁界を閉じ込めてコモンモードチョークコイルを形成することができる。
【００５４】
また、カード側磁性体シート１０とコネクタ側磁性体シート１８は、カード側端子８Ｂ，８Ｃ，８Ｆ，８Ｇとコンタクト１６との接触部位を挟むから、ノイズ発生源となる接触部位をカード側磁性体シート１０とコネクタ側磁性体シート１８によって覆うことができる。このため、差動信号がメモリカード２側とカードコネクタ１１側との双方向に伝送されるときに、いずれの方向に伝送される差動信号のコモンモードノイズであっても、カード側磁性体シート１０とコネクタ側磁性体シート１８とからなるコモンモードチョークコイルによって抑制することができる。この結果、ノイズフィルタを２箇所に設ける必要がなくなる。
【００５５】
さらに、メモリカード２にカード側磁性体シート１０を設けたから、ノイズ発生源となるカード側端子８Ｂ，８Ｃ，８Ｆ，８Ｇに近い位置にカード側磁性体シート１０を配置することができる。このため、カード側端子８Ｂ，８Ｃ，８Ｆ，８Ｇ付近でのコモンモードインピーダンスを高めることができ、コモンモードノイズの抑制効果を高めることができる。
【００５６】
また、カード側磁性体シート１０は、差動信号を伝送するためのカード側端子８Ｂ，８Ｃ，８Ｆ，８Ｇを覆い、他の信号を伝送するカード側端子８Ａ，８Ｄ，８Ｅ，８Ｈ，８Ｉは覆わないから、必要最小限な位置にカード側磁性体シート１０を設けることができ、メモリカード２の製造コストを低減することができる。
【００５７】
次に、図９ないし図１１を用いて、本発明の第２の実施の形態について説明する。第２の実施の形態では、カード側磁性体シートは、複数のカード側端子を全て覆う構成としている。なお、第２の実施の形態において、第１の実施の形態と同一の構成要素は同一の符号を付し、その説明を省略する。
【００５８】
第２の実施の形態によるメモリカード装置３１を示す。メモリカード装置３１は、メモリカード３２およびカードコネクタ３４を備える。
【００５９】
メモリカード３２は、第１の実施の形態によるメモリカード２とほぼ同様に形成され、上ケース３、下ケース４、回路基板５、記憶素子６、カード側端子８Ａ〜８Ｉ等を備え、メモリカード３２の上面３２Ａにカード側端子８Ａ〜８Ｉが露出する。
【００６０】
また、カード側磁性体シート３３は、第１の実施の形態によるカード側磁性体シート１０とほぼ同様に形成され、下ケース４の上面と回路基板５の下面との間に設けられる。但し、カード側磁性体シート３３は、メモリカード３２に設けられた全てのカード側端子８Ａ〜８Ｉを覆う。この点で、カード側磁性体シート３３は、第１のカード側磁性体シート１０とは異なる。このとき、カード側磁性体シート３３は、メモリカード３２の左，右方向の長さと同程度の長さを有する。
【００６１】
カードコネクタ３４は、第１の実施の形態によるカードコネクタ１１とほぼ同様に形成され、ハウジング１２、コンタクト１６等を備える。
【００６２】
また、コネクタ側磁性体シート３５は、第１の実施の形態によるコネクタ側磁性体シート１８とほぼ同様に形成され、カバー部材１４の天板部１４Ａの下面に設けられる。但し、コネクタ側磁性体シート３５は、カード側端子８Ａ〜８Ｉに接触する全てのコンタクト１６の端子接触部１６Ｂを覆う。この点で、コネクタ側磁性体シート３５は、第１のコネクタ側磁性体シート１８とは異なる。このとき、コネクタ側磁性体シート３５は、メモリカード２２の左，右方向の長さと同程度の長さを有する。
【００６３】
かくして、第２の実施の形態でも、第１の実施の形態とほぼ同様な作用効果を得ることができる。また、カード側磁性体シート３３およびコネクタ側磁性体シート３５は、複数のカード側端子８Ａ〜８Ｉを全て覆うから、いずれのカード側端子８Ａ〜８Ｉに生じるコモンモードノイズでも抑制することができる。
【００６４】
次に、図１２を用いて、本発明の第３の実施の形態について説明する。第３の実施の形態では、コネクタ側磁性体シートは、カード側端子が露出したメモリカードの上面と対面した主面部と、メモリカードの側面と対面した側面部とによって断面コ字状に形成している。なお、第３の実施の形態において、第１の実施の形態と同一の構成要素は同一の符号を付し、その説明を省略する。
【００６５】
第３の実施の形態によるメモリカード装置４１を示す。メモリカード装置４１は、メモリカード４２およびカードコネクタ４４を備え、メモリカード４２の上面４２Ａにカード側端子８Ａ〜８Ｉが露出する。
【００６６】
メモリカード４２は、第１の実施の形態によるメモリカード２とほぼ同様に形成され、上ケース３、下ケース４、回路基板５、記憶素子６、カード側端子８Ａ〜８Ｉ等を備える。
【００６７】
また、カード側磁性体シート４３は、第２の実施の形態によるカード側磁性体シート３３とほぼ同様に形成され、下ケース４の上面と回路基板５の下面との間に設けられると共に、メモリカード４２に設けられた全てのカード側端子８Ａ〜８Ｉを覆う。
【００６８】
カードコネクタ４４は、第１の実施の形態によるカードコネクタ１１とほぼ同様に形成され、ハウジング１２、コンタクト１６等を備える。
【００６９】
また、コネクタ側磁性体シート４５は、第１の実施の形態によるコネクタ側磁性体シート１８とほぼ同様に形成される。但し、コネクタ側磁性体シート４５は、カード側端子８Ａ〜８Ｉが露出したメモリカード４２の上面４２Ａと対面した主面部４５Ａと、メモリカード４２の側面と対面した側面部４５Ｂ，４５Ｃとによって断面コ字状に形成され、カード側端子８Ａ〜８Ｉに接触する全てのコンタクト１６の端子接触部１６Ｂを覆う。この点で、コネクタ側磁性体シート４５は、第１のコネクタ側磁性体シート１８とは異なる。
【００７０】
かくして、第３の実施の形態でも、第１の実施の形態とほぼ同様な作用効果を得ることができる。また、コネクタ側磁性体シート４５は断面コ字状に形成したから、カード側磁性体シート４３とコネクタ側磁性体シート４５とによってカード側端子８Ａ〜８Ｉを取囲むことができる。このため、これらの磁性体シート４３，４５による磁界の閉じ込め効果を高め、コモンモードインピーダンスを大きくすることができる。
【００７１】
次に、図１３ないし図１５を用いて、本発明の第４の実施の形態について説明する。第４の実施の形態では、カード側磁性体シートを省き、カードコネクタにのみコネクタ側磁性体シートを設けている。なお、第４の実施の形態において、第１の実施の形態と同一の構成要素は同一の符号を付し、その説明を省略する。
【００７２】
第４の実施の形態によるメモリカード装置５１を示す。メモリカード装置５１は、メモリカード５２およびカードコネクタ５３を備え、メモリカード５２の上面５２Ａにカード側端子８Ａ〜８Ｉが露出する。
【００７３】
メモリカード５２は、第１の実施の形態によるメモリカード２とほぼ同様に形成され、上ケース３、下ケース４、回路基板５、記憶素子６、カード側端子８Ａ〜８Ｉ等を備える。但し、カード側磁性体シートを省いている点で、第１の実施の形態によるメモリカード２とは異なる。
【００７４】
カードコネクタ５３は、第１の実施の形態によるカードコネクタ１１とほぼ同様に形成され、ハウジング１２、コンタクト１６等を備える。
【００７５】
また、コネクタ側磁性体シート５４は、第１の実施の形態によるコネクタ側磁性体シート１８とほぼ同様に形成される。但し、コネクタ側磁性体シート５４は、全てのコンタクト１６の端子接触部１６Ｂを取囲んでハウジング１２の内部に環状に形成されている。この点で、コネクタ側磁性体シート５４は、第１のコネクタ側磁性体シート１８とは異なる。
【００７６】
ここで、コネクタ側磁性体シート５４は、カード側端子８Ａ〜８Ｉが露出したメモリカード５２の上面５２Ａと対面した一方の主面部５４Ａと、メモリカード４２の側面と対面した側面部５４Ｂ，５４Ｃと、メモリカード５２の下面５２Ｂと対面した他方の主面部５４Ｄとによって断面四角形の環状に形成され、カード側端子８Ａ〜８Ｉに接触する全てのコンタクト１６の端子接触部１６Ｂを覆う。このとき、コネクタ側磁性体シート５４の２つの主面部５４Ａ，５４Ｄは、カード側端子８Ａ〜８Ｉとコンタクト１６との接触部位をメモリカード５２の厚さ方向で挟む。
【００７７】
かくして、第４の実施の形態でも、第１の実施の形態とほぼ同様な作用効果を得ることができる。また、カードコネクタ５３のハウジング１２には、カード側端子８Ａ〜８Ｉとコンタクト１６との接触部位をメモリカード５２の厚さ方向で挟む位置に、コネクタ側磁性体シート５４を設けた。これにより、コネクタ側磁性体シート５４はコモンモードチョークコイルとして機能し、コモンモードノイズを抑制することができる。さらに、カードコネクタ５３に設けたコネクタ側磁性体シート５４だけでコモンモードチョークコイルを形成するから、メモリカード５２を加工する必要がなく、容易に適用することができる。
【００７８】
なお、第４の実施の形態では、コネクタ側磁性体シート５４は、主面部５４Ａ，５４Ｄと側面部５４Ｂ，５４Ｃとを備える構成としたが、側面部５４Ｂ，５４Ｃを省く構成としてもよい。また、第１の実施の形態によるコネクタ側磁性体シート１８と同様に、差動信号を伝送するためのカード側端子と対向する位置にのみ、これらのカード側端子を厚さ方向で挟むように、コネクタ側磁性体シートを設ける構成としてもよい。
【００７９】
また、前記第１の実施の形態では、カード側磁性体シート１０とコネクタ側磁性体シート１８は、いずれも差動信号を伝送するカード側端子８Ｂ，８Ｃ，８Ｆ，８Ｇと対向する位置にのみ設ける構成とした。しかし、本発明はこれに限らず、例えば第１の実施の形態によるメモリカード２と第２ないし第４の実施の形態によるカードコネクタ３４，４４，５３を組み合わせてもよい。また、第２の実施の形態によるメモリカード２２と第１，第４の実施の形態によるカードコネクタ１１，５３を組み合わせてもよい。
【００８０】
さらに、前記各実施の形態では、メモリカード２，３２，４２，５２は、上ケース３、下ケース４、回路基板５を備える構成としたが、例えば基板全体を樹脂封止することによって、上ケースおよび下ケースを省く構成としてもよい。
【符号の説明】
【００８１】
１，３１，４１，５１  メモリカード装置
２，３２，４２，５２  メモリカード
２Ａ，３２Ａ，４２Ａ，５２Ａ  上面
８Ａ〜８Ｉ  カード側端子
１０，３３，４３  カード側磁性体シート
１１，３４，４４，５３  カードコネクタ
１２  ハウジング
１２Ａ  カード挿入口
１６  コンタクト
１６Ａ  腕部
１６Ｂ  端子接触部
１８，３５，４５，５４  コネクタ側磁性体シート
４５Ａ，５４Ａ，５４Ｄ  主面部
４５Ｂ，４５Ｃ，５４Ｂ，５４Ｃ  側面部
【図１】
0005874530.tif 000002
【図２】
0005874530.tif 000003
【図３】
0005874530.tif 000004
【図４】
0005874530.tif 000005
【図５】
0005874530.tif 000006
【図６】
0005874530.tif 000007
【図７】
0005874530.tif 000008
【図８】
0005874530.tif 000009
【図９】
0005874530.tif 000010
【図１０】
0005874530.tif 000011
【図１１】
0005874530.tif 000012
【図１２】
0005874530.tif 000013
【図１３】
0005874530.tif 000014
【図１４】
0005874530.tif 000015
【図１５】
0005874530.tif 000016